(57)【要約】      （修正有）【課題】簡易に一人ででも組み立てられ、使用者の居住性を配慮すると共に利便性をはかった立哨ポリスボックスを提供する。【解決手段】頂部を半透明な耐触性を有した合成樹脂製の屋根部と、透明と半透明のパネルを用いたコの字形状の側面体と鉄板台座と各々別体と成した３体の部材によって構成され、該部材の所定位置に穿設した同通穴へ同一寸法、同一形状のボルトを挿入し、蝶螺子で締め付け立設し、所望箇所に設置するものである。早急時に警察官の警備が必要な場合に、小型車輛で複数の立番、立哨交番が急送できると共に、一人で組立設置でき、居住性と使い勝手の良さを追求し、又任務の終了後、極めて短時間で撤去できる。【選択図】図１
0003144488.tif 000002
【実用新案登録請求の範囲】
【請求項１】
透明な特殊パネルを両側面及び後面の各上設部位に用い下段部位の各面部位に半透明の特殊パネルを用いた立哨、立番用ポリスボックスにおいて、
上記、上段部位の各上端部位に窓枠を設け、スライド引戸を形設した立哨ポリスボックス。
【請求項２】
前面部を開放部としたコの字形状の任意の側面部に物置台を設置した請求項１に記載の立哨ポリスボックス。
【考案の詳細な説明】
【技術分野】
【０００１】  本考案は国の保全を司る警察官が各種の警備のため使用する簡易な交番に関するものである。
【背景技術】
【０００２】  従来この種のポリスボックスは、現在要人の警護、街中の保安、警備等の任務に当たるため、交番は様々な場所に設置されている。又、本件に係る移動式交番においても、特別な催し物、或いは、特殊要人の警備等にも必要に応じて設置され、又撤去されている。
【考案の開示】
【考案が解決しようとする課題】
【０００３】  緊急時に早急に小人数で組立て設置、又撤去できる、ことを課題とし、更に移動式交番においては、工場等で製造され、又は一旦形成された箱状の完成品をトラック等に積載して運搬し、現地でクレーン車等を使用して設置或いは撤去していたがクレーン車等の大型車輛が必要であり、大掛かりな作業となっていた。又、現存する移動式簡易交番は、単に雨、露、風等が防げる程度に過ぎず、現今の世相に見合う簡易に一人ででも組み立てられ、使用者の居住性を配慮すると共に側面部に物置き台を設置して利便性を慮はかった交番は存しなかった。
【課題を解決するための手段】
【０００４】  本考案は上記従来の課題を解決するための手段として、屋根部と３側面体と底部台座を各々に別体とし、現場に移送し、極めて小人数で組立用工具も必要とせず、短時間で設置でき、前述の問題点を解決したものである。
現今の社会情勢に鑑み、早急時に警察官の警備が必要な場合に、小型車輛で複数の立番、立哨交番が急送できると共に、一人で組立設置でき、又任務の終了後、極めて短時間で撤去できるポリスボックスに関するものである。
【考案を実施するための最良の形態】
【０００５】  本考案は頂部を半透明な耐触性を有した特殊合成樹脂製の屋根部と、透明と半透明の特殊パネルを用いたコの字形状の側面体と鉄板台座と各々別体と成した３体の部材によって構成され、該部材の所定位置に穿設した同通穴へ同一寸法、同一形状のボルトを挿入し、蝶螺子で締め付け立設し、所望箇所に設置するものである。
【実施例】
【０００６】  本考案の実施例を添付図面に基づいて説明する。
立哨、立番用ポリスボックス（１）の右左の側面（２）（３）及び奥面（４）の上端部位のスライド式引戸（５）及び屋根（６）台座（７）並びに、上記左、右の側面（２）（３）の任意な内側に設置した物置台（８）によって形成したボックス体であって、コの字形状三面（２），（３），（４）の各面体をサッシで奥面下側面、上側面、上端側面として形成し、各面体の下段部位を半透明の板体を嵌入し、上段部位に見通しを配慮した透明な板体を用い、各面体の最上端部にスライド式引戸（５）を嵌装し、右側面（２）或いは左側面（３）の中央横帯状サッシ（９）に物置台（８）を設置して構成したものである。
【図面の簡単な説明】
【０００７】
【図１】本考案の立哨ポリスボックスを正面から斜視図として表した説明のための総体図である。
【符号の説明】
【０００８】１…立哨立番用ポリスボックス
２…右側面サッシ
３…左側面サッシ
４…奥面サッシ
５…スライド式引戸
６…屋根
７…台座
８…物置台
９…中央横帯状サッシ。
【図１】
0003144488.tif 000003
【手続補正書】
【提出日】平成20年5月29日(2008.5.29)
【手続補正１】
【補正対象書類名】実用新案登録請求の範囲
【補正対象項目名】全文
【補正方法】変更
【補正の内容】
【実用新案登録請求の範囲】
【請求項１】
透明なパネルを両側面及び後面の各上設部位に用い下段部位の各面部位に半透明のパネルを用いた立哨、立番用ポリスボックスにおいて、
上記、上段部位の各上端部位に窓枠を設け、スライド引戸を形設した立哨ポリスボックス。
【請求項２】
前面部を開放部としたコの字形状の筐体の任意の側面部のサッシ体に物置台を設置した請求項１に記載の立哨ポリスボックス。
【手続補正２】
【補正対象書類名】明細書
【補正対象項目名】全文
【補正方法】変更
【補正の内容】
【考案の詳細な説明】
【技術分野】
【０００１】  本考案は国の保全を司る警察官が各種の警備のため使用する簡易な交番に関するものである。
【背景技術】
【０００２】  従来この種のポリスボックスは、現在要人の警護、街中の保安、警備等の任務に当たるため、交番は様々な場所に設置されている。又、本件に係る移動式交番においても、特別な催し物、或いは、特殊要人の警備等にも必要に応じて設置され、又撤去されている。
【考案の開示】
【考案が解決しようとする課題】
【０００３】
【０００４】  緊急時に早急に小人数で組立て設置、又撤去できる、ことを課題とし、更に移動式交番においては、工場等で製造され、又は一旦形成された箱状の完成品をトラック等に積載して運搬し、現地でクレーン車等を使用して設置或いは撤去していたがクレーン車等の大型車輛が必要であり、大掛かりな作業となっていた。又、現存する移動式簡易交番は、単に雨、露、風等が防げる程度に過ぎず、現今の世相に見合う簡易に一人ででも組み立てられ、使用者の居住性を配慮すると共に側面部に物置き台を設置して利便性を慮はかった交番は存しなかった。
【課題を解決するための手段】
【０００５】  本考案は上記従来の課題を解決するための手段として、屋根部と３側面体と底部台座を各々に別体とし、現場に移送し、極めて小人数で組立用工具も必要とせず、短時間で設置でき、前述の問題点を解決したものである。
現今の社会情勢に鑑み、早急時に警察官の警備が必要な場合に、小型車両で複数の立番、立哨交番が急送できると共に、一人で組立設置でき、又任務の終了後、極めて短時間で撤去できるポリスボックスに関するものである。
【考案を実施するための最良の形態】
【０００６】  本考案は頂部を半透明な耐触性を有した合成樹脂製の屋根部と、透明と半透明のパネルを用いたコの字形状の側面体と鉄板台座と各々別体と成した３体の部材によって構成され、該部材の所定位置に穿設した同通穴へ同一寸法、同一形状のボルトを挿入し、蝶螺子で締め付け立設し、所望箇所に設置するものである。
【実施例】
【０００７】  本考案の実施例を添付図面に基づいて説明する。
立哨、立番用ポリスボックス（１）の右左の側面（２）（３）及び奥面（４）の立設した各パネルの上端部位のスライド式引戸（５）及び屋根（６）台座（７）並びに、上記左、右の側面（２）（３）の任意な内側に設置した物置台（８）によって形成したボックス体であって、コの字形状三面（２），（３），（４）の各面体をサッシで奥面下側面、上側面、上端側面として形成し、各面体の下段部位を半透明の板体を嵌入し、上段部位に見通しを配慮した透明な板体を用い、各面体の最上端部にスライド式引戸（５）を嵌装し、右側面（２）或いは左側面（３）の中央横帯状サッシ（９）に物置台（８）を設置して構成したものである。
【図面の簡単な説明】
【０００８】  図１は本考案の立哨ポリスボックスを正面から斜視図として表した説明のための総体図である。
【符号の説明】
【０００９】１…立哨立番用ポリスボックス
２…右側面サッシ
３…左側面サッシ
４…奥面サッシ
５…スライド式引戸
６…屋根
７…台座
８…物置台
９…中央横帯状サッシ。